(57)【特許請求の範囲】
【請求項１】
頂部にステムを有し、該ステムを押下すると充填されている内容物を噴出するエアゾール缶を二本並列に配置し、また、該各ステムにそれぞれ連結される二本のノズル管からなるノズルには、該ノズル管の基端から吐出口まで連通する連通孔を形成して前記内容物を該吐出口から吐出する二剤吐出容器において、
前記エアゾール缶に取外し可能に取付けられる筒状カバーにレバーを揺動可能に取付け、該レバーには左右に突出してレバー連係片を設けて、該レバー連係片に各ノズル管の側面に嵌着して一体的に連結していることを特徴とする二剤吐出容器。
【請求項２】
ノズル内の連通孔は、その中間で曲げて形成していることを特徴とする請求項１記載の二剤吐出容器。
【請求項３】
ノズルはレバーに揺動可能に設けられていることを特徴とする請求項１、２記載の二剤吐出容器。
【請求項４】
並列に配置された二本のエアゾール缶の上部に固定リングを取付け、該固定リングに筒状カバーを取外す際に該筒状カバーを上方へガイドするガイド片を設けていることを特徴とする請求項１〜３記載の二剤吐出容器。
【請求項５】
筒状に形成された筒状カバーの側面に側窓を形成し、また、該筒状カバーの上部を被覆するキャップに設けたロック解除片を前記側窓に臨ませ、該ロック解除片がガイド片に当接可能に配設されていることを特徴とする請求項１〜４記載の二剤吐出容器。
【発明の詳細な説明】
【０００１】
【発明の属する技術分野】
この発明は、二本のエアゾール缶を並列に配置した二剤吐出容器に関する。
【０００２】
【従来の技術】
頂部に設けたステムを押圧すると、充填されている内容物を噴出するようにされているエアゾール缶は広く知られている。ここで、第１剤と第２剤を混合して使用する染毛剤などでは、酸化染料を含有する第１剤と酸化剤を含有する第２剤をそれぞれ別のエアゾール缶内に充填し、各内容物を同時に噴出するようにした二剤吐出容器が知られている。かかる二剤吐出容器においては、ステムにノズルを設けるとともに、このノズルを押圧するレバーを設けている。
【０００３】
例えば、特開平１１−５９７４６号公報には、中央で二室に区画して箱形としたノズルを有する二剤吐出容器が記載されている。この各室の下面にそれぞれステムに当接するノズル接続管を突出し、また、各室の前面にそれぞれの吐出口を近接して設けて、二剤がほぼ接触した状態で並列して吐出されるようにしている。そして、ノズルの上面にレバーを配置し、レバーを押圧操作することによってノズルを押し下げて、それぞれの吐出口から同時に内容物をを吐出するようにしている。
【０００４】
また、特開平１１−２７８５５４号公報には、ノズルを二本のノズル管により構成した二剤吐出容器が記載されている。このノズル管は中間で９０度に折り曲げられ、それぞれのノズル管の基端を各ステムに接続し、他端側の吐出口を互いに近接した、上から見てＶ字状に配設している。そして、各ノズル管の上面を覆うレバーを設けて、このレバーを押圧操作することによって、レバーが各ノズル管を押下して、それぞれのノズル管から同時に内容物を吐出するようにしている。
【０００５】
ここで、二剤吐出容器では、エアゾール缶のステムから噴出した内容物がノズルを介して吐出されるために、一旦使用されると、ノズル内にその一部が残留することになる。このように残留すると不衛生になるばかりか、内容物によっては変質したり、また硬く固まってノズルを詰まらせるおそれもある。このため、ノズル内を洗浄できるようにすることが望まれている。
【０００６】
【発明が解決しようとする課題】
特開平１１−５９７４６号公報に記載されている発明では、箱形のノズルのみを分離して洗浄するようにされている。しかし、各室の下面にノズル接続管を突出し、前面に吐出口を設けているために、各室内までは十分には洗浄できない構造とされている。また、この従来技術には、両室を拡開して洗浄する例も記載されているが、拡開するためにその構造が複雑になっている。
特開平１１−２７８５５４号公報に記載されている発明では、ノズル管のみを分離して洗浄するようにしている。
【０００７】
このように、上記した従来の二剤吐出容器では、ノズルのみを取外した状態で、洗浄するようにしている。しかし、ノズルは小さな部品であり、洗浄作業が面倒であるばかりか、洗浄作業中に使用者の不注意などによって紛失するおそれもあった。特に、洗浄後は、ノズルのみを分離した状態で放置して乾燥されることが多く、紛失の原因になっている。
【０００８】
そこで、この発明では、ノズルを少なくともレバーと一体的に連結した状態でエアゾール缶から取外し、このレバーと連結した状態で洗浄できる二剤吐出容器とすることを目的としている。
【０００９】
【課題を解決するための手段】
請求項１の発明では、各ステムにそれぞれ連結される二本のノズル管からなるノズルには、ノズル管の基端から吐出口まで連通する連通孔を形成して内容物を該吐出口から吐出する二剤吐出容器において、エアゾール缶に取外し可能に取付けられる筒状カバーにレバーを揺動可能に取付け、レバーには左右に突出してレバー連係片を設けて、レバー連係片に各ノズル管の側面に嵌着して一体的に連結している。これにより、使用者がレバーを操作して揺動すると、ノズルがステムを押下する。そして、並列配置されている二本のエアゾール缶内の内容物がノズル内の連通孔を通って吐出口から吐出される。
【００１０】
また、ノズルを洗浄する際には、筒状カバーをエアゾール缶から取り外すと、ノズルがレバーに一体的に連結されているために、少なくともノズルとレバーが連結した状態で洗浄作業が行なわれる。特にレバーにレバー連係片を設けて、レバー連係片に形成した円弧凹面にノズルを嵌着して一体的に連結する構造として、レバーとノズルの製造を容易にすることができる。
【００１１】
また、ノズル内の連通孔の中間で曲げて形成することによって、エアゾール缶を起立した状態で、内容物を吐出することができる（請求項２）。
【００１２】
請求項３の発明では、ノズルはレバーに揺動可能に設けられている。このためステムをその押し下げ方向に沿って押下げられ、ステムに横方向の力が作用しない。
請求項４の発明では、並列に配置された二本のエアゾール缶の上部に固定リングを取付け、筒状カバーを固定リングから取外す際に、筒状カバーを上方へガイドするガイド片を設けているために、筒状カバーをエアゾール缶から取り外す際に、ガイド片により筒状カバーが上方へガイドされて、容易に取外される。
請求項５の発明では、筒状に形成された筒状カバーの側面に側窓を形成し、また、該筒状カバーの上部を被覆するキャップに設けたロック解除片を前記側窓に臨ませ、該ロック解除片がガイド片に当接可能に配設されている。ロック解除片の押圧操作により、筒状カバーがエアゾール缶から取外される。
【００１３】
【発明の効果】
以上説明したように、請求項１の発明では、各ステムにそれぞれ連結される二本のノズル管からなるノズルには、ノズル管の基端から吐出口まで連通する連通孔を形成して内容物を該吐出口から吐出する二剤吐出容器において、エアゾール缶に取外し可能に取付けられる筒状カバーにレバーを揺動可能に取付け、レバーには左右に突出してレバー連係片を設けて、レバー連係片に各ノズル管の側面に嵌着して一体的に連結しているために、ノズルの洗浄をレバーと連結した状態で行うことができて、洗浄作業を容易に行うことができるという効果を奏する。
【００１４】
【発明の実施の形態】
以下、この発明を染毛剤の容器に適用した実施例により図１〜図７を参照して説明する。
この実施例のエアゾール缶１、１は、図１に示すように、有底筒状とされた容器本体１ａの上端をマウンテインカップ１ｂにより密封し、その中央にステム１ｃが立設されている。このステム１ｃは上方に付勢されていて、これを押下すると充填されている頭髪染色液が噴出する公知のエアゾール缶とされている。
これらのエアゾール缶１内には、酸化染料の第１剤と酸化剤の第２剤の各一剤が充填されている。二本のエアゾール缶１、１は、その両胴部外周を樹脂フィルム１ｄにより被覆されて並列に配置されている。また、二つのマウンテインカップ１ｂには固定リング２が固定され、二本のエアゾール缶１、１の並列配置を確実なものとされている。
【００１５】
固定リング２には、筒状カバー３が取付けられ、この筒状カバー３にノズル４から頭髪染色液を吐出する操作をするレバー５が取付けられている。そして、筒状カバー３の上部はキャップ６により被覆されている。
【００１６】
固定リング２は、全体を小判形とされ、二個のマウンテインカップ１ｂ、１ｂをそれぞれ挿入する挿入孔２０が形成された短い筒状とされている（図４参照）。この挿入孔２０の上部には、マウンテインカップ１ｂの頭部に当接する当接片２１が四方から突出成形されるとともに、図３，図４に示すように、下部にマウンテインカップ１ｂの首部に係合する係合片２２が形成されて、二本のエアゾール缶１、１の首部に固定されている。また、固定リング２の長径側の両側には、傾斜した斜面を有するガイド片２３が設けられるとともに、固定リング２の中間外周に筒状カバー３を取付ける取付突条２４が形成されている。
【００１７】
筒状カバー３は、固定リング２とほぼ同じ外形の小判形の筒状に形成され、図２に示すように、その内周面中央に係合リブ３０が横方向に設けられている。この係合リブ３０が固定リング２の取付突条２４に係合して、筒状カバー３を固定リング２に取外し可能に取付けられている。この筒状カバー３は、長径側の中央位置でその上縁が大きく切り欠かれて、前側にノズル突出凹部３１が形成され、また後側に指挿入凹部３２が形成されている。このノズル突出凹部３１の上縁に沿ってレバー５の前端を支持するレバー係合部３３が内側へ形成されている。また、指挿入凹部３２の周縁内側を取り囲んで補強片３４が設けられて、指挿入凹部３２を補強するとともに、指を挿入する際に指の位置を決めている。さらに、筒状カバー３の側面に側窓３５が形成され、また、内周面の上部に固定リブ３６が周設されている。
【００１８】
ノズル４は、二本のノズル管４０、４０により構成されている。このノズル管４０は、垂直方向の基端側４ａと水平方向に延びる先端側４ｂとに中間部で９０度に曲がった形状とされていて、エアゾール缶１を立てた状態で、充填された頭髪染色剤が水平方向に吐出される。そして各ノズル管４０内には、当接口４１から吐出口４２まで連通する連通孔４３がそれぞれ設けられている。当接口４１における連通孔４３は、図３に示すように、ステム１ｃの開口端に当接して、連結可能にロート状に拡開されている。これにより、エアゾール缶１内の内容物を噴出した際に、液漏れを生じることなく連通孔４３を通ってノズル管４０の先端から吐出される。また、当接口４１の外周面に、約２７０度にわたって係合凹部４４が形成されている。
【００１９】
レバー５は、図７に示すように、板状のレバー本体５０が中間で約１５０度程度に曲げられていて、その先端縁両側に突出する支点軸５１が設けられている。また、レバー本体５０の他側上面には、指当て面５２が形成されて、使用者の指により押圧操作可能とされている。このレバー本体５０の中央下面には、連結片５３が薄肉部５４を介して一体成形されていて（図５参照）、フレキシブルな薄肉部５４によって、連結片５３がレバー本体５０に対して揺動可能に取り付けられている。そして、連結片５３の両側面の先端にレバー連係片５５が設けられている。このレバー連係片５５は、約２７０度の円弧凹面とされ、ノズル基端側４ａに形成した係合凹部４４に嵌着して係合している。これにより、二本のノズル管４０は、その当接口４１が各ステム１ｃ、１ｃに当接する間隔を開けて配置され、また、先端部４２が相互に接触するように配置されて、平面から見てＶ字状に配設固定されている。このようにして、レバー連係片５５に係合凹部４４が嵌合して、図２に示すようにレバー５と両ノズル管４０，４０は一体的に連結されている。
【００２０】
キャップ６は、図２に示すように、筒状カバー３を上から被覆する蓋板６０がこの筒状カバー３とほぼ同じ外形の小判形の板状に形成され、その周縁に形成した取付リブ６１が固定リブ３６に係合して筒状カバー３に取付けられている。また、蓋板６０の左右から垂設されたロック解除片６２が、筒状カバー３の側面に設けた側窓３５に内側から嵌合して、キャップ６が筒状カバー３に分離不能に固定されている。なお、図４において、筒状カバー３を左右両側からロック解除片６２を指で内側へ押圧すると、ロック解除片６２の内面がガイド片２３に当接し、上方にガイドされる。この作用力により、取付突条２４と係合リブ３０の係合が解除されるために、ロック解除片６２を押圧するだけで、筒状カバー３は浮き上がって固定リング２から取外される。
【００２１】
また、蓋板６０の前面下方には、図２に示すように、レバー５の支点軸５１の両端部をレバー係合部３３へ上から回転可能に押える支軸押え６３が設けられている。この支軸押え６３は、蓋板６０の裏面の両側から垂下した垂下片６４の先端に差渡して形成されている。
【００２２】
また、蓋板６０の指当て面５２の上方に対応する部位に、切込によるドア６５が形成されている。このドア６５は、ヒンジに相当する部位を薄肉にして、上方へ引き上げて開くようにされている。レバー５を押圧操作する際に、ドア６５を開いて、指を指当て面５２に当てることができるようにされている。また、このドア６５の裏面には、図５に示すように、押さえ突起６６が設けられていて、その先端がレバー５の指当て面５２の直上に配位されている。これにより不使用時にエアゾール缶１が倒立状態にされても、レバー５の指当て面５２がばた付くのを防止している。
【００２３】
次にこのように構成されたこの実施例の作用について説明する。
使用する際に、使用者がドア６５を引き上げて、レバー５の指当て面５２を押圧操作する。この際、使用者は、筒状カバー３に設けられている指挿入凹部３２内に指を差し入れることになるためにレバー５のほぼ中央を押圧して、レバー５に左右均等な作用力を作用させる。このレバー５の押圧操作により、レバー係合部３３に回転可能に支持されている支点軸５１を支点としてレバー本体５０が下方へ押し下げられる。ここで、この押圧操作により、レバー本体５０は、支点軸を中心として円運動することになるが、薄肉部５４を介して設けられている連結片５３は、揺動して直線的に押し下げられる。そして、各レバー連係片５５および各係合凹部４４を介して、両ノズル管４０，４０がステム１ｃを下方に押し下げる。これにより、エアゾール缶１内に充填されている内容物が噴出し、ノズル管４０内の連通孔４３に導かれれて、それぞれの吐出口４２から吐出される。
【００２４】
この際、ノズル４は、図６に示すように、平面から見て二本のノズル管４０がＶ字状に形成されているため、別々の吐出口から吐出された二条のクリーム状の染毛剤が、吐出後に直ちに軽く接触して、二剤が一体となって吐出される。このように櫛やブラシに吐出された二剤を受けて頭髪に塗布される。
また、使用後にノズル４内に残留した染毛剤を洗浄するには、筒状カバー３を固定リング２から取外して行う。筒状カバー３の左右側面に設けている側窓３５に臨んでいるロック解除片６２を指で押圧する。ロック解除片６２が押圧されると、ロック解除片６２の内面がガイド片２３に当接し、そして上方にガイドされ、この作用力により、取付突条２４と係合リブ３０の係合が解除されて、筒状カバー３を固定リング２から取外される。
【００２５】
このようにして、筒状カバー３に取付けられた状態のノズル４は、その当接口４１が筒状カバー３の下面側に露出し、一方、吐出口４２は、筒状カバー３から突出しているために、それぞれの口から洗浄水を流入させたり、図示しない洗浄ブラシを連通孔４３内に挿入して洗浄することができる。すなわち、この実施例では、筒状カバー３にノズル４を取付けた状態で洗浄作業が行われるために、小さな部品であるノズル４を紛失するおそれを生じない。
【００２６】
なお、この実施例では、ノズル４を筒状カバー３などの他の部材に取付けた状態で洗浄作業をする例を示しているが、ノズル４の紛失を防止するには、必ずしもノズル４を筒状カバー３に取付けている必要はなく、少なくともノズル４とレバー５を一体的に連結した状態であれば、紛失の防止に大きく貢献できる。
【００２７】
例えば、図８はレバー５ａにノズル４を連結した状態で洗浄する例を示した実施例である。この実施例では、上述した実施例と同様に、ノズル４はレバー５ａのレバー連係片５５により一体的に連結されている。一方、筒状カバー３に設けたレバー係合部の上面には、二条のレバー係合片７０、７１を平行して設けている。このレバー係合片７０の先端には、引掛け突条７０ａを設けて、この両突条７０，７１の間に挿入されたレバー５ａの先端を回転可能に係合している。そして、レバー５ａを持ち上げると、レバー５ａはこの引掛け突条７０ａとの係合が解除され、レバー５ａを容易に取外すことができる。このため、レバー５ａにノズル４を連結した状態で洗浄することができる。
【００２８】
また、詳述した上記実施例では、ノズル５を薄肉部５４を介して揺動可能に設けてステム１ｃを直線的に押し下げる例を示したが、僅かな押下げ量で内容物を噴出するエアゾール缶を使用する場合や、支点軸からステムまでの距離（支点から作用点までの距離）を大きくして実施する場合には、ノズル４の押下運動が直線に近づいて、ステム１ｃをほぼ垂直に押し下げることができるために、必ずしもレバー５に対してノズル４を揺動可能に設けなくても実施することができる。
【図面の簡単な説明】
【図１】分離斜視図
【図２】一部の斜視図
【図３】図６IIIーIII線で切断した一部の断面図
【図４】一部の断面図
【図５】一部の断面図
【図６】平断面図
【図７】ノズルとレバーの分離斜視図
【図８】図５に対応して示す他の実施例の一部断面図
【符号の説明】
１…エアゾール缶
１ｃ…ステム
２…固定リング
３…筒状カバー
４…ノズル
５…レバー
６…キャップ
３３…レバー係合部
４０…ノズル管
４２…吐出口
４３…連通孔
５０…レバー本体
５１…支点軸
５２…指当て面
５３…連結片
５５…レバー連係片
６２…ロック解除片
【図１】
0004681146.tif 000002
【図２】
0004681146.tif 000003
【図３】
0004681146.tif 000004
【図４】
0004681146.tif 000005
【図５】
0004681146.tif 000006
【図６】
0004681146.tif 000007
【図７】
0004681146.tif 000008
【図８】
0004681146.tif 000009